(57)【特許請求の範囲】
【請求項１】
本体を形成する鉛直方向に立設した複数の支柱と、
前側の２つの支柱から本体の内側に鉛直方向中心軸の少し手前に向かって延出すると共にその先端同士が接合した複数のホールド棒と、
ホールド棒の前記先端から奥側に延出した補助ホールド棒と、
補助ホールド棒の端部に設けた止部と、
を備えたことを特徴とするヘルメットスタンド。
【請求項２】
前記補助ホールド棒は２本以上所定角度をもって設けられていることを特徴とする請求項１に記載のヘルメットスタンド。
【請求項３】
本体を形成する鉛直方向に立設した複数の支柱と、
３つ以上の支柱から本体の内側に延出すると共に上方に傾斜させ且つ先端同士の間に所定の間隔を設けた複数のホールド棒と、
を備えたことを特徴とするヘルメットスタンド。
【請求項４】
本体を形成する鉛直方向に立設した複数の支柱と、
３つ以上の支柱から本体の内側に延出すると共に下方に傾斜させ且つ先端同士の間に所定の間隔を設けた複数のホールド棒と、
を備えたことを特徴とするヘルメットスタンド。
【請求項５】
本体を形成する鉛直方向に立設した複数の支柱と、
３つ以上の支柱から本体の内側に延出すると共に全体が直線部と円弧部からなる扇形状となり前記円弧部が本体の中央付近に位置する複数のホールド枠と、
を備えたことを特徴とするヘルメットスタンド。
【請求項６】
本体を形成する鉛直方向に立設した複数の支柱と、
３つ以上の支柱から本体の内側に延出すると共に上方に傾斜させ且つ先端同士の間に所定の間隔を設けた複数のホールド棒と、
奥側のホールド棒に設けた止部と、
を備えたことを特徴とするヘルメットスタンド。
【請求項７】
更に、前記本体の上部にフックを設けたことを特徴とする請求項１〜６のいずれか一つに記載のヘルメットスタンド。
【請求項８】
更に、前記本体を前記支柱に代えて板で構成したことを特徴とする請求項１〜７のいずれか一つに記載のヘルメットスタンド。
【発明の詳細な説明】
【技術分野】
【０００１】
本発明は、工務店等の事務所や工事現場等で安全ヘルメットをストックするヘルメットスタンドに関するものである。
【背景技術】
【０００２】
従来から、特許文献１に記載されているようなヘルメット等の保護帽を縦に重ねて収納する収納具が知られている。この収納具は、本体前面部に数ヶ所出し入れ可能な開放部を設け、保護帽の出し入れはそこからと収納具上部から行い、収納具前面中央に天辺から底まで「縦長の連続開放部」を設けた構成である。
【０００３】
この収納具は、一番下に位置する保護帽はその上の保護帽をすべて取り出さなくても最下段の開放部から取り出すことができ、中段にある保護帽も最寄の数ヶ所の開放部から取り出す事ができ、収納具の取り付けも簡単に出来、分解組立も出来る。
【先行技術文献】
【特許文献】
【０００４】
【特許文献１】特開２０１１−０６７５８０号公報
【発明の概要】
【発明が解決しようとする課題】
【０００５】
しかしながら、従来の収納具では、個人が特定のヘルメット等の保護帽を使用する際、各人が所望の保護帽を取り出すことができないことがあるという問題点があった。この発明は、係る問題点を解決するためのものである。
【課題を解決するための手段】
【０００６】
そこで、本発明のヘルメットスタンドは、本体を形成する鉛直方向に立設した複数の支柱と、２つ以上の支柱から本体の内側に延出すると共にその先端同士が接合した複数のホールド棒と、ホールド棒の前記先端から奥側に延出した補助ホールド棒と、補助ホールド棒の端部に設けた止部とを備えたことを特徴とする。
【０００７】
また、本発明のヘルメットスタンドは、上記発明において、前記補助ホールド棒は２本以上所定角度をもって設けられていることを特徴とする。
【０００８】
また、本発明のヘルメットスタンドは、本体を形成する鉛直方向に立設した複数の支柱と、３つ以上の支柱から本体の内側に延出すると共に上方に傾斜させ且つ先端同士の間に所定の間隔を設けた複数のホールド棒とを備えたことを特徴とする。
【０００９】
また、本発明のヘルメットスタンドは、本体を形成する鉛直方向に立設した複数の支柱と、３つ以上の支柱から本体の内側に延出すると共に下方に傾斜させ且つ先端同士の間に所定の間隔を設けた複数のホールド棒とを備えたことを特徴とする。
【００１０】
また、本発明のヘルメットスタンドは、本体を形成する鉛直方向に立設した複数の支柱と、３つ以上の支柱から本体の内側に延出すると共に全体が直線部と円弧部からなる扇形状となり前記円弧部が本体の中央付近に位置する複数のホールド枠とを備えたことを特徴とする。
【００１１】
また、本発明のヘルメットスタンドは、本体を形成する鉛直方向に立設した複数の支柱と、２つ以上の支柱から本体の内側に延出するホールド棒と、各ホールド棒の先端に設けられることで各ホールド棒を連結し且つ本体の中央付近に配置された円環部材とを備えたことを特徴とする。
【００１２】
また、本発明のヘルメットスタンドは、本体を形成する鉛直方向に立設した複数の支柱と、２つ以上の支柱から本体の内側に延出するホールド棒と、各ホールド棒の先端に設けられた円弧部材とを備えたことを特徴とする。
【００１３】
また、本発明のヘルメットスタンドは、本体を形成する鉛直方向に立設した複数の支柱と、３つ以上の支柱から本体の内側に延出すると共に上方に傾斜させ且つ先端同士の間に所定の間隔を設けた複数のホールド棒と、奥側のホールド棒に設けた止部とを備えたことを特徴とする。
【００１４】
また、本発明のヘルメットスタンドは、上記発明において、更に、前記本体の上部にフックを設けたことを特徴とする。
【００１５】
また、本発明のヘルメットスタンドは、上記発明において、更に、前記本体を前記支柱に代えて板で構成したことを特徴とする。
【図面の簡単な説明】
【００１６】
【図１】この発明の実施の形態１に係るヘルメットスタンドを示す斜視図である。
【図２】図１に示したヘルメットスタンドを示す一部側面図である。
【図３】ヘルメットスタンドの上面図である。
【図４】このヘルメットスタンドの使用状態を示す説明図である。
【図５】この発明の実施の形態１に係るヘルメットスタンドの変形例を示す斜視図である。
【図６】この発明の実施の形態２に係るヘルメットスタンドを示す斜視図である。
【図７】図６に示したヘルメットスタンドを示す一部側面図である。
【図８】ヘルメットスタンドの上面図である。
【図９】この発明の実施の形態３に係るヘルメットスタンドを示す斜視図である。
【図１０】図９に示したヘルメットスタンドを示す一部側面図である。
【図１１】ヘルメットスタンドの上面図である。
【図１２】この発明の実施の形態４に係るヘルメットスタンドを示す斜視図である。
【図１３】図１２に示したヘルメットスタンドを示す一部側面図である。
【図１４】ヘルメットスタンドの上面図である。
【図１５】この発明の実施の形態５に係るヘルメットスタンドを示す斜視図である。
【図１６】図１５に示したヘルメットスタンドを示す一部側面図である。
【図１７】ヘルメットスタンドの上面図である。
【図１８】この発明の実施の形態５に係るヘルメットスタンドの変形例を示す斜視図である。
【図１９】この発明の実施の形態５に係るヘルメットスタンドの変形例を示す斜視図である。
【図２０】実施の形態２の変形例に係るヘルメットスタンドを示す斜視図である。
【図２１】ヘルメットスタンドの変形例を示す説明図である。
【図２２】ヘルメットスタンドの変形例を示す説明図である。
【図２３】ヘルメットスタンドの変形例を示す説明図である。
【図２４】ヘルメットスタンドの変形例を示す説明図である。
【発明を実施するための形態】
【００１７】
（実施の形態１）
図１は、この発明の実施の形態１に係るヘルメットスタンドを示す斜視図である。図２は、図１に示したヘルメットスタンドを示す一部側面図である。図３は、ヘルメットスタンドの上面図である。このヘルメットスタンド１００は、三角形状の金属製の底板１に対して３本の支柱２を立設し、この支柱２の上端部を連結棒７により連結した構造である。支柱２は底板１に対してネジ固定しても良いし、溶接しても良い。底板１の裏面であって各角付近には、ネジによるアジャスト機能を備えた足１０が設けられている。前側の２本の支柱２には鉛直方向に一定間隔をもって複数のホールド棒４が内側に向かって設けられている。ホールド棒４は、支柱２に対して溶接される。
【００１８】
ホールド棒４は、支柱２及び連結棒７により形成された三角柱枠の本体１２の鉛直方向中心軸の少し手前に向かって延出し、突き合わせた位置４ａにおいて当該２本のホールド棒４が溶接される。鉛直方向とは設置面又は底面１に対する鉛直方向をいう。前記ホールド棒４を前記突き合わせ位置４ａで溶接することで、ヘルメット３のあご紐が喰い込んでしまうのを防止できる。更に、当該各ホールド棒４の先はＬ字に折れ曲がり、奥側の支柱２の方向から少し外側にそれた方向に延出して補助ホールド棒６を形成している。各補助ホールド棒６の先端は、鉛直方向に折れ曲がり、止部１１を形成している。当該止部１１は、短冊状や円盤状でも良いし、ゴム等の樹脂材をホールド棒４の先端に取り付けて形成しても良い（図示省略）。
【００１９】
また、ホールド棒４は、内側に向かい下方に傾斜している。これはヘルメット３を載せるときにヘルメット３が自重で奥に移動するようにし、手前に滑り出るのを防止するためである。傾斜角は、例えば水平方向に対して３度以上１０度以下にするのが好ましい。なお、ホールド棒４及び補助ホールド棒６は、断面が円形の棒体からなるものを例示したが、帯状の金属板を折り曲げて形成するようにしても良い（図示省略）。
【００２０】
奥側の２本の連結棒７には、それぞれ３個のフック８が設けられている。このフック８は、高所転落防止用の安全帯９を引っ掛けるものである。フック８は、連結棒７の下部から下方向に延出して外側に湾曲している。フック８は連結棒７に溶接しても良いし、着脱可能な構造にしても良い。
【００２１】
図４は、このヘルメットスタンドの使用状態を示す説明図である。このヘルメットスタンド１００は、ホールド棒４と補助ホールド棒６により形成した載置部分にヘルメット３をその頭頂部を上にして載せる。すると、ヘルメット３の下部周縁３ａが前記ホールド棒４及び補助ホールド棒６により支持される。ホールド棒４は奥側に傾斜しているのでヘルメット３が前側に滑り出ることがない。
【００２２】
また、ヘルメット３の周縁３ａ（つばのない側）は前記補助ホールド棒６により支持されると共に前記止部１１により奥に入りすぎるのが阻止され、その結果、ヘルメット３が好ましい位置に置かれる。また、２本の補助ホールド棒６が互いに一定の角度をもって延出しているので、ヘルメット３の下部周縁３ａは２つの止部１１により異なる２つの位置で止められる。このため、ヘルメット３が最適な位置に自然に載せられるようになり且つ横方向にずれ落ち難くなる。
【００２３】
このヘルメットスタンド１００では、ホールド棒４及び補助ホールド棒６により形成した各段の載置部分に複数のヘルメット３を載せることができる。また、補助ホールド棒６の先端の止部１１によりヘルメット３が奥に入りすぎるのを防止できるので、特に注意を払わなくてもヘルメット３を最適な位置に簡単に載せることができる。
【００２４】
また、図５に示すように、一番奥の支柱２からホールド棒４を延出させ、前記ホールド棒４同士の突き合わせ位置４ａにおいて溶接しても良い。その他の構成は上記図１に示したヘルメットスタンド１００と同じである。このようにすれば、ヘルメットスタンド全体の剛性を高めることができる。
【００２５】
以上のヘルメットスタンド１００によれば、複数段に設けた載置部分に複数のヘルメット３を自在に載せたり出したりすることができる。また、安全帯９も同じ場所に引っ掛けて収納できるので、便利である。
【００２６】
（実施の形態２）
図６は、この発明の実施の形態２に係るヘルメットスタンドを示す斜視図である。図７は、図６に示したヘルメットスタンドを示す一部側面図である。図８は、ヘルメットスタンドの上面図である。このヘルメットスタンド２００は、三角形状の金属製の底板１に対して３本の支柱２を立設し、この支柱２の上端部を連結棒７により連結した構造である。支柱２は底板１に対してネジ固定しても良いし、溶接しても良い。底板１の裏面であって各角付近には、ネジによるアジャスト機能を備えた足１０が設けられている。前側の２本の支柱２には鉛直方向に一定間隔をもって複数のホールド棒４１が内側に向かって設けられている。ホールド棒４１は、支柱２に対して溶接される。
【００２７】
ホールド棒４１は、支柱２及び連結棒７により形成された三角柱枠の本体１２の鉛直方向中心軸に向かって延出している。ホールド棒４１の先端同士は、一定の間隔が設けられている。また、ホールド棒４１は、内側に向かい上方に傾斜している。傾斜角は、例えば水平方向に対して３度以上１０度以下にするのが好ましい。ホールド棒４１の長さは、例えば支柱２から鉛直方向中心軸までの長さの１／２以上３／４以下とする。換言すれば、ホールド棒４１の長さは、各ホールド棒４１の先端を通る水平方向の円を想定した場合にその直径がヘルメット３の最大径より小さくなるような長さとする。
【００２８】
更に、ホールド棒４１の先端は球状に成形されている。なお、ホールド棒４１の先端には僅かに湾曲させた部分を設けても良いし、ゴム状の滑り止めを設けても良い（図示省略）。なお、ホールド棒４１は、断面が円形の棒体を曲げ成形したものを例示したが、帯状の金属板を折り曲げて形成するようにしても良い（図示省略）。
【００２９】
奥側の２本の連結棒７には、それぞれ３個のフック８が設けられている。このフック８は、高所転落防止用の安全帯９を引っ掛けるものである。フック８は、連結棒７の下部から下方向に延出して外側に湾曲している。フック８は連結棒７に溶接しても良いし、着脱可能な構造にしても良い。
【００３０】
このヘルメットスタンド２００では、ホールド棒４が上側に傾斜しているので、図７に示すように、ヘルメット３を裏返しにして当該ヘルメット３の側周曲面を前記ホールド棒４１の先端の３点で支持できる。これにより、ヘルメット３を決まった位置に安定して載せることができる。ヘルメット３は、ホールド棒４１により形成した複数段の載置部分に複数載せることができる。また、ユーザがヘルメット３のつば部３ｂをもって脱いだとき当該ヘルメット３は裏返しの状態になるので、そのまま載置部分に載せることができる。ヘルメット３を被るときもつば部３ｂを持ってヘルメットスタンド２００から取り出し、そのまま頭に被せることができるので、使用にあたり大変便利である。また、このヘルメットスタンド２００は構造が簡単であるため、製造容易である。
【００３１】
（実施の形態３）
図９は、この発明の実施の形態３に係るヘルメットスタンドを示す斜視図である。図１０は、図９に示したヘルメットスタンドを示す一部側面図である。図１０は、ヘルメットスタンドの上面図である。このヘルメットスタンド３００は、実施の形態２に係るヘルメットスタンド２００のホールド棒４１を下側に傾斜させた点が異なる。その他の構成は実施の形態２と同様であるからその説明を省略し、同一構成要素には同一の符号を付する。
【００３２】
ホールド棒４２は、支柱２及び連結棒７により形成された三角柱枠の本体１２の鉛直方向中心軸に向かって延出している。ホールド棒４２の先端同士は、一定の間隔が設けられている。また、ホールド棒４２は、内側に向かい下方に傾斜している。傾斜角は、例えば水平方向に対して３度以上１０度以下にするのが好ましい。ホールド棒４２の長さは、各ホールド棒４２の先端を通る水平方向の円を想定した場合にその直径がヘルメット３の最大径より小さくなるような長さとする。
【００３３】
このヘルメットスタンド３００では、ホールド棒４２が下側に傾斜しているので、図１０に示すように、ヘルメット３を裏返しにして当該ヘルメット３の周側曲面を前記ホールド棒４２の先端の３点、又は中腹から先端の間の部分の３点で支持できる。これにより、ヘルメット３を決まった位置に安定して載せることができる。また、ユーザがヘルメット３のつば部３ｂをもって脱いだとき当該ヘルメット３は裏返しの状態になって、そのまま載置部分に載せることができる。ヘルメット３を被るときも前記つば部３ｂを持ってヘルメットスタンド３００から取り出し、そのまま頭に被せることができるので、極めて使用しやすい。更に、載置部分が鉛直方向中心に傾斜しているので、ヘルメット３を雑に載せても最適な位置で保持できる。また、このヘルメットスタンド３００は構造が簡単であるため、製造容易である。
【００３４】
（実施の形態４）
図１２は、この発明の実施の形態４に係るヘルメットスタンドを示す斜視図である。図１３は、図１２に示したヘルメットスタンドを示す一部側面図である。図１４は、ヘルメットスタンドの上面図である。このヘルメットスタンド４００は、三角形状の金属製の底板１に対して３本の支柱２を立設し、この支柱２の上端部を連結棒７により連結した構造である。支柱２は底板１に対してネジ固定しても良いし、溶接しても良い。底板１の裏面であって各角付近には、ネジによるアジャスト機能を備えた足１０が設けられている。支柱２には鉛直方向に一定間隔をもって複数のホールド枠４３が内側に向かって設けられている。ホールド枠４３は、支柱２に対して溶接される。
【００３５】
各ホールド枠４３は扇形状であり、手元の直線部４４が支柱２に溶接され、先端の円弧部４５は三角柱枠の本体１２の鉛直方向中心付近に位置する。また、ホールド枠４３は、内側に向かい下方に傾斜しており、途中から略水平方向になる。これはヘルメット３を載せるときにヘルメット３が自重で奥に移動するようにし、手前に滑り出るのを防止するためである。傾斜角は、例えば水平方向に対して３度以上１０度以下にするのが好ましい。なお、ホールド枠４３は、断面が円形の棒体を曲げ成形したものを例示したが、帯状の金属板を折り曲げて形成するようにしても良い（図示省略）。
【００３６】
奥側の２本の連結棒７には、それぞれ３個のフック８が設けられている。このフック８は、高所転落防止用の安全帯９を引っ掛けるものである。フック８は、連結棒７の下部から下方向に延出して外側に湾曲している。フック８は連結棒７に溶接しても良いし、着脱可能な構造にしても良い。
【００３７】
このヘルメットスタンド４００は、扇形状のホールド枠４３により載置部分を構成するので、ヘルメット３をその頭頂部を上にして置いても、逆さまにして置いても良い。図１３に示すように、頭頂部を上にして置いた場合、ヘルメット３の下部周縁３ａがホールド枠４３の直線部４４により支持され、この直線部４４は合計６本あるのでヘルメット３の下部周縁３ａがしっかりと支持される。また、図１３に示すように、ヘルメット３を逆さまに置いた場合、ヘルメット３の頭頂部が扇形状の円弧部４５で支持され、且つ、直線部４４が下方に傾斜しているのでヘルメット３が中央に保持されるので、雑にヘルメット３を置いても最適な位置に載せられる。
【００３８】
（実施の形態５）
図１５は、この発明の実施の形態５に係るヘルメットスタンドを示す斜視図である。図１６は、図１５に示したヘルメットスタンドを示す一部側面図である。図１７は、ヘルメットスタンドの上面図である。このヘルメットスタンド５００は、三角形状の金属製の底板１に対して３本の支柱２を立設し、この支柱２の上端部を連結棒７により連結した構造である。支柱２は底板１に対してネジ固定しても良いし、溶接しても良い。底板１の裏面であって各角付近には、ネジによるアジャスト機能を備えた足１０が設けられている。前側の２本の支柱２には鉛直方向に一定間隔をもって複数のホールド棒４６が内側に向かって設けられている。ホールド棒４６は、支柱２に対して溶接される。
【００３９】
ホールド棒４６は、支柱２及び連結棒７により形成された三角柱枠の本体１２の鉛直方向中心軸に向かって水平に延出している。ホールド棒４６の先端同士は、円環部材４７により連結されている。円環部材４７は本体１２の中央付近に配置され、その径はヘルメット３の最大径より小さい径とする。円環部材４７の中心は鉛直方向中心軸上又はその近傍に位置する。なお、ホールド棒４６及び円環部材４７は、断面が円形の棒体を曲げ成形したものを例示したが、帯状の金属板を折り曲げて形成するようにしても良い（図示省略）。
【００４０】
奥側の２本の連結棒７には、それぞれ３個のフック８が設けられている。このフック８は、高所転落防止用の安全帯９を引っ掛けるものである。フック８は、連結棒７の下部から下方向に延出して外側に湾曲している。フック８は連結棒７に溶接しても良いし、着脱可能な構造にしても良い。
【００４１】
このヘルメットスタンド５００では、図１６に示すように、円環部材４７によりヘルメット３を裏返しにして置き、ヘルメット３の外周面を円環部材４７の中に入れるようにして固定する。これにより、ヘルメット３を決まった位置に安定して載せることができる。また、ヘルメット３は、ホールド棒４６及び円環部材４７により形成した載置部分に複数載せることができる。
【００４２】
ユーザがヘルメット３のつば部３ｂをもって脱いだとき当該ヘルメット３は裏返しの状態になるので、そのまま載置部分に載せることができる。ヘルメット３を被るときも前記つば部３ｂをもってヘルメットスタンドから取り出し、そのまま頭に被せることができるので、大変使用しやすい。また、このヘルメットスタンド５００は構造が簡単であるため、製造容易である。更に、円環部材４７とホールド棒４６とが連結しているのでヘルメットスタンド全体の剛性が高まる。
【００４３】
また、図１８に示すように、ホールド棒４６の先端に円弧部材４８を設け、全体として円状にしても良い。また、図１９に示すように、各ホールド棒４６の先端から一方向に円弧部材４９を設け、この円弧部材４９によりヘルメット３の周側曲面を保持するようにしても良い。
【００４４】
（その他の実施の形態）
図２０は、実施の形態２の変形例に係るヘルメットスタンドを示す斜視図である。このヘルメットスタンド２５０は、実施の形態２に係るヘルメットスタンド２００の奥側のホールド棒４に止部２０１を設けた点に特徴がある。その他の構成は実施の形態２に係るヘルメットスタンド２００と同じである。このように止部２０１を設けることでヘルメット３が奥に入り過ぎることを防止できる。
【００４５】
また、上記全ての実施の形態において、前記底板１は、図２１に示すように、四角形状の底板１０１としてもよい。また、上記全ての実施の形態において、前記フック８は、図２２に示すように、支柱２と連結棒７により構成される面よりも内側に設けても良い。また、上記全ての実施の形態において、連結棒７により構成される枠に蓋１０２を設けても良い。蓋１０２を設けることで、埃等がヘルメット３に入るのを防止できる。特に、逆さまにヘルメット３を収納する場合に有用である。
【００４６】
また、図２４に示すように、上記全ての実施の形態において支柱２の代わりに金属板１０３を折り曲げて本体１０４を構成しても良い。同図では、実施の形態１の支柱２を金属板に変更した例を示す。なお、図示しないが金属板１０３は、軽量化のためパンチングメタルを用いるのが好ましい。金属板１０３により構成することで折り曲げるだけで本体１０４を構成できるので、製造が簡単である。また、金属板１０３に代えて樹脂製の板を用いても良い。
【符号の説明】
【００４７】
１００  ヘルメットスタンド
１  底板
２  支柱
３  ヘルメット
４  ホールド棒
６  補助ホールド棒
７  連結棒
８  フック
１０  足
【図１】
0005901238.tif 000002
【図２】
0005901238.tif 000003
【図３】
0005901238.tif 000004
【図４】
0005901238.tif 000005
【図５】
0005901238.tif 000006
【図６】
0005901238.tif 000007
【図７】
0005901238.tif 000008
【図８】
0005901238.tif 000009
【図９】
0005901238.tif 000010
【図１０】
0005901238.tif 000011
【図１１】
0005901238.tif 000012
【図１２】
0005901238.tif 000013
【図１３】
0005901238.tif 000014
【図１４】
0005901238.tif 000015
【図１５】
0005901238.tif 000016
【図１６】
0005901238.tif 000017
【図１７】
0005901238.tif 000018
【図１８】
0005901238.tif 000019
【図１９】
0005901238.tif 000020
【図２０】
0005901238.tif 000021
【図２１】
0005901238.tif 000022
【図２２】
0005901238.tif 000023
【図２３】
0005901238.tif 000024
【図２４】
0005901238.tif 000025